(57)【要約】【課題】甘しょ苗を植え付けた畦上面に、乾燥防止等の目的で紙を敷設するのに、簡単な構成で紙を確実に敷設できるようにする。【解決手段】苗移植機の苗植付体４による圃場への苗植え付け位置の後方に、紙ロール５５を支持する支持装置５６と、紙ロール５５から引き出された紙５７を畦上面に接触させて押圧する敷設ローラー５８と、紙５７を畦上面に密着させる水を含む液体を散水する散水ノズル６１とを有する紙敷設装置５２を配置する。或は、紙ロール５５から引き出された紙に糊剤６４を付着する糊付着手段を有する紙敷設装置５２とする。また、フレーム６８の下部に、紙ロール５５の支持装置５６と、紙ロール５５から引き出された紙５７を畦の凸部表面に接触させて押圧する敷設ローラー５８を設け、フレーム６８の上部にハンドル７１を設ける。【選択図】図１
2004113177.tif 000002
【特許請求の範囲】
【請求項１】
苗移植機の苗植付体４による圃場への苗植え付け位置の後方に、紙ロール５３を支持する支持装置５５と、紙ロール５３から引き出された紙５６を畝上面に接触させて押圧する敷設ローラー５７と、紙５６を畝上面に密着させる水を含む液体を散水する散水ノズル６３とを配置したことを特徴とする紙敷設装置。
【請求項２】
苗移植機の苗植付体４による圃場への苗植え付け位置の後方に、紙ロール５３を支持する支持装置５５と、紙ロール５３から引き出された紙５６を畝上面に接触させて押圧する敷設ローラー５７と、紙ロール５３から引き出された紙に糊剤を付着する糊付着装置６７とを配置したことを特徴とする紙敷設装置。
【請求項３】
フレーム６８の下部に、紙ロール５３の支持装置５５と、紙ロール５３から引き出された紙５６を畝上面に接触させて押圧する敷設ローラー５７を設け、フレーム６８の上部にハンドル７１を設けたことを特徴とする紙敷設装置。
【発明の詳細な説明】
【０００１】
【発明の属する技術分野】
この発明は、甘しょ苗等のつる苗を植え付けた畝に乾燥防止等の目的で紙を敷設する紙敷設装置に関するものである。
【０００２】
【従来の技術】
従来の紙敷設装置は、ペーパーロールから引き出した保水用の紙を甘しょ苗を植え付けた畝表面に被覆し、畝の溝部の土を掻き取り搬送装置により掻き取り、掻き取った土を上方に搬送してガイド筒に供給し、ガイド筒から紙の左右両側部に落下させて、紙を畝上に敷設する構成である（特許文献１参照）。
【０００３】
【特許文献１】
特開２００２−１２５４１９号公報（第１３頁、第１図）
【０００４】
【発明が解決しようとする課題】
従来装置では、畝に敷設した紙が風で飛ばないようにするために、掻き取り搬送装置により畝の溝部の土を掻き取り、その土を上方に搬送し紙の左右両側部に落下させる構成であるので、装置が大型化しコスト高となる問題点があった。
【０００５】
そこで、この発明は、このような問題点を解消し、紙敷設装置の簡素化を図ろうとするものである。
【０００６】
【課題を解決するための手段】
前記問題点を解決するために、請求項１の発明は、苗移植機の苗植付体４による圃場への苗植え付け位置の後方に、紙ロール５３を支持する支持装置５５と、紙ロール５３から引き出された紙５６を畝上面に接触させて押圧する敷設ローラー５７と、紙５６を畝上面に密着させる水を含む液体を散水する散水ノズル６３とを配置したことを特徴とする。
【０００７】
請求項１の発明では、苗移植機の苗植付体４により圃場に苗が植え付けられ、苗植付位置の後方では、支持装置５５に支持された紙ロール５３から機体の進行に伴って紙５６が引き出され、引き出された紙５６は敷設ローラー５７の回転により畝上面に案内されながら押圧され、灌水ノズル６３により畝上面に散水された水を含む液体により畝上面に貼り付けられる。
【０００８】
請求項２の発明は、苗移植機の苗植付体４による圃場への苗植え付け位置の後方に、紙ロール５３を支持する支持装置５５と、紙ロール５３から引き出された紙５６を畝上面に接触させて押圧する敷設ローラー５７と、紙ロール５３から引き出された紙に糊剤を付着する糊付着装置６７とを配置したことを特徴とする。
【０００９】
請求項２の発明では、苗移植機の苗植付体４により圃場に苗が植え付けられ、苗植付位置の後方では、支持装置５５に支持された紙ロール５３から機体の進行に伴って紙が引き出され、引き出された紙５６に糊付着装置６７により糊が付着され、糊の付着された紙は敷設ローラー５７の回転により畝上面に案内されながら押圧され畝上面に貼り付けられる。
【００１０】
請求項３の発明は、フレーム６８の下部に、紙ロール５３の支持装置５５と、紙ロール５３から引き出された紙５６を畝上面に接触させて押圧する敷設ローラー５７を設け、フレーム６８の上部にハンドル７１を設けたことを特徴とする。請求項３の発明では、ハンドル７１を操作しながら、甘しょ苗の植え付けられた畝に沿って敷設ローラー５７を回転しながら前進させる。このとき、紙ロール５３から引き出された紙５６は、敷設ローラー５７の回転により畝上面に圧接されていく。
【００１１】
【発明の効果】
請求項１の発明は、紙ロール５３から引き出した紙５６を敷設ローラー５７により畝上面に押圧しながら水等の液体を利用して貼り付けるので、畝に敷設した紙が風で飛ばないように畝上面に紙を敷設でき、且つ、紙敷設装置の簡素化が図れる。また、そのために散水した水を含む液体は、甘しょ苗の植付後に必要な水分を供給することにもなり、栽培作業の効率化も図れる。
【００１２】
請求項２の発明は、甘しょ苗の植え付けられた畝の上面に糊により紙を接着して敷設するので、紙の風による飛散防止が一層確実になる。
請求項３の発明は、機械によらず移植した場合の紙の敷設作業を、簡単な構成の紙敷設装置によって容易且つ確実に行うことができる。
【００１３】
【発明の実施の形態】
以下、図面に示すこの発明の実施例の形態について説明する。
まず、苗移植機について説明する。この苗移植機は、走行部１及び操縦ハンドル２を備えた機体と、甘しょ苗Ｎを搬送する苗搬送部３と、苗搬送部３により搬送された苗Ｎを圃場に植え付ける苗植付体４とを備えている。
【００１４】
走行部１は、エンジン５と、エンジン５の動力が伝達されて駆動される左右一対の後輪６，６と、機体前部に遊転自在に支持した左右一対の前輪７，７とを備えている。
前記エンジン５の後方にはミッションケース８を配置し、ミッションケース８はエンジン５の左側後部に連結ケース部を介して連結されていている。そして、エンジン５の出力軸が連結ケース部にまで突出していて、出力軸を介してミッションケース８内の伝動機構に動力が伝達されている。ミッションケース８の左右両側部には、左右の伝動ケース９，９を上下回動自在に取り付け、伝動ケース９，９の回動中心部にミッションケース８から左右両側に延出した車輪駆動軸の先端を入り込ませて、伝動ケース９，９内の伝動機構に走行用動力を伝達し、この伝動機構を経て左右の車軸１０，１０を介して左右の後輪６，６に動力が伝達される。
【００１５】
また、伝動ケース９，９のミッションケース８への取付部には、上方に延びるアーム１１，１１を一体的に取り付けている。ミッションケース８には昇降用油圧シリンダ１２の一端を取り付け、この昇降用油圧シリンダ１２のピストンロッド先端部に、上下方向の軸芯回りに回動する天秤杆１３の中間部を取り付け、天秤杆１３の右端部をロッド１４を介して右側の伝動ケース９のアーム１１にピン連結し、また、天秤杆１３の左端部を伸縮作動可能な左右水平制御用油圧シリンダ１５を介して左側の伝動ケース９のアーム１１にピン連結している。
【００１６】
しかして、昇降用油圧シリンダ１２が作動して、そのピストンロッド部が後方に突出すると、左右のアーム１１，１１は後方に回動し、伝動ケース９，９は下方に回動し機体が上昇し、また、昇降用油圧シリンダ１２のピストンロッドが前側に引っ込むと、機体が下降する。そして、この昇降用油圧シリンダ１２は、機体に対する畝上面の高さをセンサＳにより検出し、この検出結果に基づき機体を畝の上面から所定の高さに保持するように構成している。なお、操縦ハンドル２の近傍の操作具を人為操作することにより、機体の高さを昇降できる。
【００１７】
また、前記左右水平用油圧シリンダ１５が伸縮すると、天秤杆１３の両端部が前後に回動して、左右の伝動ケース９，９が互い違いに上下動し、機体を左右に傾斜させる。なお、この左右水平制御用油圧シリンダ１５は、左右の傾斜を検出する傾斜センサの検出結果に基づいて機体を左右水平になるように制御される。
【００１８】
エンジン５の下方の左右中央位置には、前後方向の軸芯回りに前輪支持フレーム１６を取り付け、この前輪支持フレーム１６の左右両端部から下方に延びるアーム部の下端部に車軸１７，１７を取り付け、車軸１７，１７に左右の前輪７，７を取り付け、前輪７，７をローリング自在に構成している。
【００１９】
ミッションケース８から後方に向けてハンドルフレーム２ｂを延出し、ハンドルフレーム２ｂの後端部に操縦ハンドル２を取り付けている。ハンドルフレーム２ｂは、機体の左右中心部から右側に偏位して配置されている。操縦用ハンドル２はハンドルフレーム２ｂの後端部から左右後側に延出し、その左右両端部をグリップ部２ａ，２ａとしている。
【００２０】
次に、苗植付体４について説明する。
苗植付体４は、その苗植付作用部４ａを昇降させる駆動部に連結し、苗植付体４の苗植付作用部４ａが、苗搬送部３により搬送された苗を取って圃場に植え付ける構成である。
【００２１】
苗植付体４を駆動する駆動部は、ミッションケース８内から苗植付具駆動用の動力を受けて駆動される伝動機構を内争する植付伝動ケース１８に設けている。植付伝動ケース１８は、その前側部がミッションケース８の後端部に連結されていて、後斜め上方に延びる第１ケース部１８ａと、この第１ケース部１８ａの上部左側に円筒状に突出するボス１８ａ’に左右軸心回りに回動自在に取り付けられている第２ケース部１８ｂと、第２ケース部１８ｂの左側端部に固定されていて後斜め下方に延びる第３ケース部１８ｃと、第３ケース部１８ｃの下端部外側に固定されていて左側に延びる第４ケース部１８ｄと、第４ケース部１８ｄの左側端部に固定されていて後方に水平に延びる第５ケース部１８ｅと、から構成されている。
【００２２】
これらの第１ケース部１８ａから第５ケース部１８ｅ内に、苗植付体４駆動用動力を伝達する伝動機構を内装している。なお、第１ケース部１８ａに内装した伝動機構には、苗植付体４を最上昇位置あるいはその近傍で所定時間停止させる間欠駆動機構と、苗植付体４及び苗搬送部３を停止させるクラッチ機構を備えている。間欠駆動機構によって停止する時間は、間欠駆動機構が備える変速装置により調節され、この調節によって苗植付体４の苗植付株間が変更調節される。
【００２３】
そして、苗植付体４は、駆動アーム１９に連結されて駆動される構成である。駆動アーム１９は、前記第５ケース部１８ｅの後部から右側に突出した駆動軸２０に取り付けられている。そして、駆動アーム１９の先端部に、苗植付体４の支持リンク２１の上端部を枢支連結し、支持リンク２１の下端部に揺動リンク２２の前端部を枢支連結している。揺動リンク２２の後端部は、第５ケース部１８ｅに前部が固着する支持フレーム２３の後端部と、前記第１ケース部１８ａの上部左側に左右軸心回りに回動自在に取り付けられている第２ケース部１８ｂに固着した支持フレーム３３と連結する後部側の支持フレーム２４の後端部とを左右に連結する連結軸２５に回動自在に取付けている。
【００２４】
また、支持リンク２１の側方に、板状の苗植付作用部４ａ，４ａを下端部に有する左右一対の苗植付アーム４ｂ，４ｂを装着している。この苗植付アーム４ｂ，４ｂの上部側を左右に交叉させ、その交叉部で回動軸４ｃにより軸支連結している。そして、苗植付アーム４ｂ，４ｂの回動軸４ｃから上側部分及び下側部分を、支持リンク２１の上部に設けた支持ピン、及び、支持リンク２１と揺動リンク２２とを軸支する連結軸により、左右軸芯方向に移動自在に支持している。更に、駆動アーム１９も先端部側方に円盤状のカム体４ｄを一体作動するように取り付け、このカム体４ｄの左右側面周部に凹凸状のカム部を形成し、このカム部を苗植付アーム４ｂ，４ｂの上端部間に入り込むように構成している。また、左右の苗植付アーム４ｂ，４ｂの上端部が互いに接近するように付勢するスプリング等の弾性部材４ｅを、左右の苗植付アーム４ｂ，４ｂ間に装着し、左右の苗植付アーム４ｂ，４ｂの上端部がカム体４ｄのカム部を左右両側から弾性的に挟み込むように構成している。
【００２５】
しかして、苗植付体４は、駆動アーム１９の回転により、苗植付作用部４ａ，４ａの下端部は、畝Ｕに対して軌跡Ｔを描くように作動し、また、作業時に所定速度で機体が前進すると、苗植付作用部４ａ，４ａの下端部は軌跡Ｔ’を描くように作動する。また、カム体４ｄにより、苗植付作用部４ａ，４ａが所定のタイミングで開閉する。
【００２６】
次に、苗搬送部３について説明する。
苗搬送部３は、甘しょ苗Ｎを基部側部分ｋが前後方向の姿勢で１本づつ収容する苗収容部２６，…を多数設けて、複数の前後方向の軸回りに苗収容部２６を列状に周回動させて苗を搬送する構成である。
【００２７】
また、苗搬送部３は、苗収容部２６，…を機体上部側で左右一側に搬送する上部横搬送部３ａと、上部横搬送部３ａで搬送されてきた苗収容部２６，…を下方に搬送する下降搬送部３ｂと、下降搬送部３ｂで搬送されてきた苗収容部２６，…を上方に搬送し、上部横搬送部３ａの始端側に戻す上昇搬送部３ｃとから構成されている。
【００２８】
そして、上部横搬送部３ａで搬送される苗収容部２６，…に作業者が苗を載置供給する構成とし、下降搬送部３ｂにより所定位置に下降した苗収容部２６，…から苗植付体４の苗植付作用部４ａ，４ａが苗を取り出し、圃場に植え付ける構成である。なお、オペレータは図２の作業位置ＷＰに位置して、操縦ハンドル２を操作しながら、前方に位置する上部横搬送部３ａに苗供給をする。
【００２９】
苗収容部２６は、前後方向に長い樋状に構成されていて、上部横搬送部３ａで苗Ｎを載置する受板部２６ａと、隣接する苗収容部２６，２６を仕切る側板部２６ｂ，２６ｂとを備え、上部横搬送部３ａで上方に開口部の構成される形態である。また、前後方向にも開放された形状であり、その後側部には、苗収容部２６，…に収容された苗Ｎの基部側部分ｋを挟持する左右の挟持部材２７ａ，２７ａからなる苗挟持部２７を設けている。
【００３０】
植付伝動ケース１８の第２ケース部１８ｂの後部に支持フレーム３３を固着し、この支持フレーム３３に支持部材３４，３５を介して、機体の上部左右両側に位置するように軸３６，３７を軸架している。また、植付伝動ケース部１８の第５ケース部１８ｅに支持フレーム２３の前側を固着し、支持フレーム２３に固着した支持部材３８にて機体下部に配置した前後方向の軸３９，４０を接近して取付けている。
【００３１】
そして、苗収容部２６，…を前後のチエン２８，２８に多数並べて取り付け、前記軸３６，３７の前後に設けたスプロケット２９，２９，３０，３０、及び、前記軸３９，４０の前後に設けたスプロケット３１，３１，３２，３２に、前記チエン２８，２８を巻き架けている。そして、上部右側のスプロケット２９，２９が駆動されると、苗収容部２６，…が所定方向Ｄに沿って移動するように構成している。
【００３２】
苗搬送部３の駆動部４１は、苗植付体４に連動する揺動リンク２２と一体的に上下揺動する連動リンク４２と連動ロッド４３を介して連動連結している。また、苗植付体４の苗植付作用部４ａ，４ａが下降するときは、苗収容部２６，…は停止し、苗植付体４の苗植付作用部４ａ，４ａが上昇するときは、苗収容部２６，…が移動するように、苗搬送部３が間欠駆動するように構成し、苗植付体４が苗を取り出して圃場に植え付ける毎に、隣接する苗収容部２６が苗取り出し位置に一つづつ移動するように構成している。
【００３３】
上記のように構成した苗搬送部３と苗植付体４とを支持するフレーム構造体は、植付伝動ケース１８の第２ケース部１８ｂ、第３ケース部１８ｃ、第４ケース部１８ｃ、第５ケース部１８ｅと、支持フレーム２３，２４，３３と、連結軸２５、及び、支持部材３４，３５，３８等からなるフレーム構造体で構成しており、そして、このフレーム構造体は、第１ケース部１８ａの上部左側に円筒状に突出するボス１８ａ’に左右軸心回りに回動自在に取り付けた第２ケース部１８ｂを中心に回動自在に取付けられた構成となっている。更に、該フレーム構造体の後部には、植付けた苗に対して覆土鎮圧する接地転輪４４，４４を取付けていて、第２ケース部１８ｂを中心に上下に回動する前記フレーム構造体の後部を畝Ｕの上面に支持させる構成としている。従って、圃場面の凹凸などにより走行部１と畝Ｕの上面との相対的な上下位置関係が変動しても、前記フレーム構造体は上下回動して接地転輪４４，４４による支持状態が継続し、畝Ｕの上面に対するフレーム構造体の高さが設定高さ（接地転輪４４，４４による支持高さ）に略々維持される。従って、上記フレーム構造体に支持される苗搬送部３と苗植付体４とは、走行部１側に対して上下回動可能で、且つ、接地転輪４４，４４によって支持される構成となるので、畝Ｕの上面に対して設定高さに略々維持されるように上下動し得るものとなる。なお、植付伝動ケース１８の第１ケース部１８ａの上部から第３ケース部１８ｃ内への伝動は、第１ケース部１８ａの上部から、該第１ケース部１８ａのボス１８ａ’内を通過させて左外側方に突出させた伝動軸１８ｓを介して伝動する構成で、この伝動軸１８ｓの左右方向の軸心が第１ケース部１８ａのボス１８ａ’に回動自在に取り付けている第２ケース部１８ｂの回動中心となるように設定している。
【００３４】
次に、図５〜図６に基づき甘しょ苗の植え付けられた畝上面に紙を敷設する紙敷設装置５０（Ａ）について説明する。
紙敷設装置５０（Ａ）は、苗移植機の後部にあって、苗植付体４より後側で且つ植付けた苗に対して覆土鎮圧する接地転輪４４，４４より後側に装着している。図例では、具体的に、前記支持フレーム２３，２４の後端部からリヤフレーム５１，５１を後方に延出し、該リヤフレーム５１，５１の後部に上下に位置調節可能に取付けフレーム５２を装着し、該取付けフレーム５２に、紙ロール５３のロール中心を支持する軸５４を備えて紙ロール５３を回転自在に支持する支持装置５５と、紙ロール５３から引き出した紙５６を畝上面に案内しながら押圧する敷設ローラー５７とを取付けている。また、取付けフレーム５２には、敷設ローラー５７を畝上面にスプリング等の弾性部材５８によって押圧する押圧装置５９を取付け、該押圧装置５９の押圧作用側部を敷設ローラー５７の支持部材６０に連結している。そして、水を含む液体を貯留する液タンク６１を走行部１側に取付け、その液タンク６１内の液体を、ポンプ等の圧送手段によってホース６２内を通して散水ノズル６３から噴出させる構成とする。散水ノズル６３は、苗植付体４より後側で且つ植付けた苗に対して覆土鎮圧する接地転輪４４，４４より後側に配置する。図例では、散水ノズル６３は、支持フレーム２３に取付けた取付部材６４で機体に取付け、接地転輪４４，４４と敷設ローラー５７の前後間の畝上面の土に散布するように配置している。なお、引き出し途中の紙５６、あるいは、畝上面に敷設された紙５６ａに対して、前記液体を散布するように散布ノズル６３を配置してもよい。
【００３５】
上記構成とした紙敷設装置５０（Ａ）は以下のように作用するものとなる。まず、エンジン５を駆動し機体の作動部を駆動可能にして、走行部１を作動させ機体を走行させる。作業者は、図２に示す苗搬送部３の後側の作業位置に立って、苗搬送部３の苗収容部２６，…に甘しょ苗Ｎを収容させる。苗搬送部３と苗植付体４を作動させると、苗搬送部３は、甘しょ苗Ｎを収容した苗収容部２６，…を、苗植付体４が苗を取出す個所に向けて搬送し、苗植付体４は、搬送されてきた苗収容部２６から苗を取り出して畝Ｕの上面に植え付けていく。苗が植え付けられた後、接地転輪４４，４４が畝上面の苗植付け位置の左右両側近傍個所を転動して、植え付けた苗に対して覆土鎮圧する。
【００３６】
そして、紙敷設装置５０（Ａ）が後続して畝上を移動する。先ず、散布ノズル６３で畝上面に水を含む液体が散布される。次いで、紙ロール５３から引き出された紙５６は敷設ローラー５７により畝上面に案内されて押圧され、紙５６ａは畝上面に貼り付けられていく。
【００３７】
甘しょ苗の栽培では、畝上面にビニール製のマルチシートを被せて栽培する場合があり、この場合は、紙等を被せて乾燥防止等を図ることが多くある。このようなときに、上記のように構成した苗移植機を用いれば、苗植付体４がマルチシートを突き破って畝Ｕの上部の土中に甘しょ苗Ｎを植付けることができるとともに、植え付けた甘しょ苗を覆う状態で、紙５６ａが畝上面に貼り付けられていく。ビニール製のマルチシートの場合は、散布ノズル６３から散布する液体を水としただけでも、紙５６ａを畝上面のマルチシート表面に良好に貼り付けることができる。また、散布する水に水溶性の糊剤を混合すれば、畝上面に対する紙５６ａの接着が強力になり、容易に風で剥がれることもない。
【００３８】
以上のように、紙敷設装置を、苗移植機の苗植付体４による圃場への苗植え付け位置の後方に、紙ロール５３を支持する支持装置５５と、紙ロール５３から引き出された紙５６を畝上面に接触させて押圧する敷設ローラー５７と、紙５６を畝上面に密着させる水を含む液体を散水する散水ノズル６３とを配置した構成としたので、紙ロール５３から引き出した紙５６を敷設ローラー５７により畝上面に押圧しながら水等の液体を利用して貼り付けるので、畝に敷設した紙が風で飛ばないように畝上面に紙を敷設でき、且つ、紙敷設装置の簡素化が図れる。また、そのために散水した水を含む液体は、甘しょ苗の植付後に必要な水分を供給することにもなり、栽培作業の効率化も図れる。
【００３９】
次に、図７に示した別構成の紙敷設装置について説明する。
この紙敷設装置５０（Ｂ）は、苗移植機の苗植付体４による圃場への苗植え付け位置の後方に、紙ロール５３を支持する支持装置５５と、紙ロール５３から引き出された紙５６を畝上面に接触させて押圧する敷設ローラー５７と、紙ロール５３から引き出された紙に糊剤を付着する糊付着装置６７とを配置した構成のものである。図例に示したものは、具体的には、リヤフレーム５１，５１の後部に取付けフレーム５２を装着し、該取付けフレーム５２に、紙ロール５３のロール中心を支持する軸５４を備えて紙ロール５３を回転自在に支持する支持装置５５と、紙ロール５３から引き出した紙５６を畝上面に案内しながら押圧する敷設ローラー５７とを取付けている。更にまた、糊タンク６５、糊タンク６５に入れている糊剤Ａ、糊剤Ａを回転しながら繰り出して紙５６に塗り付ける糊塗りローラー６６を備えた糊付着装置６７を取付けている。
【００４０】
よって、上記構成の紙敷設装置５０（Ｂ）は、苗植付体４により圃場に苗が植え付けられ、苗植付位置の後方では、支持装置５５に支持された紙ロール５３から機体の進行に伴って紙が引き出され、引き出された紙５６に糊付着装置６７により糊が付着され、糊の付着された紙は敷設ローラー５７の回転により畝上面に案内されながら押圧され畝上面に貼り付けられる。従って、甘しょ苗の植え付けられた畝の上面に糊により紙を接着して敷設するので、紙の風による飛散防止が一層確実になる。
【００４１】
上記の紙敷設装置５０（Ａ），５０（Ｂ）は、苗移植機に装着したものであるが、以下に説明するように、苗移植機に装着しない構成の紙敷設装置とすることもできる。
即ち、フレーム６８の下部に、紙ロール５３の支持装置５５と、紙ロール５３から引き出された紙５６を畝上面に接触させて押圧する敷設ローラー５７を設け、フレーム６８の上部にハンドル７１を設けた構成とする。
【００４２】
上記構成の紙敷設装置は、ハンドル７１を操作しながら、甘しょ苗の植え付けられた畝に沿って敷設ローラー５７を回転しながら前進させる。このとき、紙ロール５３から引き出された紙５６は、敷設ローラー５７の回転により畝上面に圧接されていく。従って、機械によらず移植した場合の紙の敷設作業を、簡単な構成の紙敷設装置によって容易且つ確実に行うことができる。
【００４３】
以下、具体的な構成について説明する。
図８に示す紙敷設装置５０（Ｃ）は、以下のように構成したものである。即ち、棒状の敷設フレーム６８、敷設フレーム６８の前側下端部に設けられていて、紙ロール５３から引き出された紙５６を畝Ｕの表面に案内接触させる敷設ローラー５７、前記敷設ローラー５７の上方に位置するように敷設フレーム６８に取り付けられている液状糊用の糊用タンク６９、前記糊用タンク６９の下方に設けられている糊付着ローラー７０、前記糊用タンク６９の上方に設けられていて紙ロール５３を支持する支持装置５６、敷設フレーム６８の後端部から後斜め上方に延びるハンドル７１、等により構成されている。なお、紙ロール５３の一面に接着剤が施されているものを使用すれば、糊用タンク６９と糊付着ローラー７０は不要となる。
【００４４】
そして、糊用タンク６９の底部には、例えば布６９ａ，…を数枚重ねて、液体糊が少しづつ滲み出すように構成している。また、紙ロール５３の紙５６は糊付着ローラー７０と敷設ローラー５７に挟まれて敷設ローラー５７の回転により引き出され、また、この紙５６の引き出し移動により糊付着ローラー７０が回転し、紙５６に糊が付着される構成である。
【００４５】
しかして、ハンドル７１を押しながら、甘しょ苗の植え付けられたマルチフィルムで被覆された畝に沿って敷設ローラー５７を回転しながら前進する。すると、紙ロール５３から引き出された紙５６は、糊付着ローラー７０の下面と敷設ローラー５７の上面との間に挟まれて引き出され、糊付着ローラー７０により糊が塗り付けられ、次いで、敷設ローラー５７により紙５６の糊面を下向きにしながら畝Ｕ表面のマルチフィルムに圧接し貼り付けていく。
【００４６】
前記のように、甘しょ苗の植え付けられたマルチフィルムの被覆された畝の表面に紙５６を貼り付けて敷設するので、日除けと夜間の低温化防止の作業を簡略化し、作業負荷を軽減することができる。
図９に示す紙敷設装置５０（Ｄ）は、以下のように構成したものである。即ち、敷設フレーム６８の下部にＵ型パイプ７２を介して左右車輪７３，７３を設け、左右車輪７３，７３が畝の溝部を走行するように構成してもよい。このようにすると、畝Ｕの表層部の崩れを防止しながら、直進性が安定し操作性を向上させることができる。
【００４７】
図１０、図１１に示す紙敷設装置５０（Ｅ）は、以下のように構成したものである。即ち、敷設フレーム６８あるいはＵ型パイプ７２に、Ｕ型の第１支持フレーム７４を介して敷設ローラー５７を上下回動自在に支持し、糊用タンク６９の下方にアーム７５，７５を介して糊付着ローラー７０を支持し、敷設フレーム６８に第２支持フレーム７６を介して糊用タンク６９を上下回動自在に取り付ける構成としてもよい。
【００４８】
このように構成すると、畝表面や溝部に凹凸があっても、敷設ローラー５７、糊付着ローラー７０及び糊用タンク６９が上下動して対応し、畝表面に安定して紙５６を敷設することができる。
図１２に示す紙敷設装置に用いる糊用タンク６９は、以下のように構成したものである。即ち、糊用タンク６９の前面部に前側に突出した突出貯溜部６９ａを構成してもよい。このように構成すると、紙敷設装置５２のハンドル７１を前方に持ち上げるように回動し保持することにより、糊用タンク６９の液体糊を底部から突出貯溜部６９ａに移動し、不要時における液体糊の底部からの滲み出しを防止することができる。
【００４９】
図１３に示す紙敷設装置５０（Ｆ）は、以下のように構成したものである。即ち、糊用タンク６９の後面部に突出貯溜部６９ａを構成し、敷設フレーム６８に第２支持フレーム７６を介して糊用タンク６９を上下回動自在に支持して、糊用タンク６９の底部及び突出貯溜部６９ａの位置を変更可能に構成し、ハンドル７１に設けたタンク姿勢用レバー７７を操作し、ワイヤ７８を介して糊用タンク６９の姿勢を変更し、液体糊の流下を防止するように構成してもよい。
【００５０】
図１４に示す紙敷設装置５０（Ｇ）は、以下のように構成したものである。即ち、作業用台車７９に紙敷設装置５２を取り付けた実施例である。作業用台車７９は、四辺形状の台車フレーム８０と、台車フレーム８０の前部左右両側に設けた左右前輪８１，８１と、台車フレーム８０の後部左右両側に設けた左・右後輪８２，８２と、台車フレーム８０の前部中央に設けた座席８３とにより構成されている。そして、台車フレーム８０の後部中央に紙敷設装置５０（Ｇ）を配置している。この紙敷設装置５０（Ｇ）は、台車フレーム８０に取り付けられている敷設ローラー５７、前記敷設ローラー５７の上方に位置するように台車フレーム８０に取り付けられている糊用タンク６９、糊用タンク６９の下方に支持されている糊付着ローラー７０、糊用タンク６９の上方に位置するように台車フレーム８０に取り付けられていて、紙ロール５３を支持する支持装置５６により構成されている。
【００５１】
前記のように構成することにより、作業者が座席８３に坐り、作業用台車７９を前進させて甘しょ苗を植え付けながら、同時に紙の敷設をすることができ、工程を半減させることができる。
なお、図１５、図１６に示すように、台車フレーム８０の座席８３前方にマルチフィルムの穴開け具８４を設けてもよい。この穴開け具８４は、フレームにブラケット８５を介して軸架されている輪体８６と、輪体８６の外周部から突出するように所定間隔毎に設けられている開口刃体８７，８７により構成されている。このように作業用台車７９を構成することにより、一工程でマルチフィルムの穴開け作業、作業者による甘しょ苗の植付作業、紙敷設装置５２により畝表面への紙の敷設作業を一挙に行なうことができる。
【図面の簡単な説明】
【図１】苗移植機に装着した紙敷設装置の側面図
【図２】苗移植機に装着した紙敷設装置の平面図
【図３】苗移植部の要部の側面図
【図４】苗移植部の要部の背面図
【図５】紙敷設装置の要部の側面図
【図６】紙敷設装置の要部の平面図
【図７】別構成の紙敷設装置の要部の側面図
【図８】別構成の紙敷設装置の斜視図
【図９】別構成の紙敷設装置の斜視図
【図１０】別構成の紙敷設装置の斜視図
【図１１】別構成の紙敷設装置の側面図
【図１２】別構成の紙敷設装置の要部の（ａ）斜視図，（ｂ）側断面図，（ｃ）角度変更した状態の側断面図
【図１３】別構成の紙敷設装置の斜視図
【図１４】別構成の紙敷設装置の斜視図
【図１５】マルチフィルムの穴開け具の斜視図
【図１６】マルチフィルムの穴開け具の斜視図
【符号の説明】
１　　走行部
２　　操縦ハンドル
３　　苗搬送部
４　　苗植付体
５０　　紙敷設装置
５３　　紙ロール
５５　　支持装置
５６　　引き出された紙
５７　　敷設ローラー
６３　　散布ノズル
６５　　糊用タンク
６６　　糊付着ローラー
６７　　糊付着手段
６８　　フレーム
７１　　ハンドル
【図１】
2004113177.tif 000003
【図２】
2004113177.tif 000004
【図３】
2004113177.tif 000005
【図４】
2004113177.tif 000006
【図５】
2004113177.tif 000007
【図６】
2004113177.tif 000008
【図７】
2004113177.tif 000009
【図８】
2004113177.tif 000010
【図９】
2004113177.tif 000011
【図１０】
2004113177.tif 000012
【図１１】
2004113177.tif 000013
【図１２】
2004113177.tif 000014
【図１３】
2004113177.tif 000015
【図１４】
2004113177.tif 000016
【図１５】
2004113177.tif 000017
【図１６】
2004113177.tif 000018